(57)【要約】【課題】廃棄物の組成や供給量によらず、常に良好な選別精度が得られる比重差選別機を提供することである。【解決手段】網状振動体２の上方の廃棄物投入部９の下端付近に、網状振動体２の下端側へ向けて空気を吹き出すエアノズル１２を設け、投入部９から供給された廃棄物が振動体２上面に達する前に、廃棄物にエアノズル１２で空気を吹き付けて軽量物を分離する粗選別を行うとともに、この段階で分離された軽量物と、一旦振動体２上面に落下してから振動体２に吹き上げられる空気によって浮上した軽量物とを、エアノズル１２から吹き出す空気で強制的に振動体２下端方向へ送るようにしたことにより、廃棄物の組成や供給量によらず、常に精度よく選別を行えるようにしたのである。【選択図】　図１
2004136225.tif 000002
【特許請求の範囲】
【請求項１】
上下方向に傾斜した網状振動体２を振動させるとともに、振動体２にその下方から空気を吹き上げることにより、振動体２上方の廃棄物投入部９から振動体２上面に供給された廃棄物のうちの重量物を振動体２上端方向へ、軽量物を振動体２下端方向へそれぞれ送るようにした比重差選別機において、前記廃棄物投入部９の下端付近に、前記網状振動体２の下端側へ向けて空気を吹き出すエアノズル１２を設けたことを特徴とする比重差選別機。
【請求項２】
前記廃棄物投入部９から供給された廃棄物が前記網状振動体２の上面に達する前に、そのうちの軽量物を前記エアノズル１２から吹き出す空気により振動体２下端方向へ送るようにしたことを特徴とする請求項１に記載の比重差選別機。
【発明の詳細な説明】
【０００１】
【発明の属する技術分野】
この発明は、建設廃棄物の選別処理設備において、各種の廃棄物をその比重差を利用して選別する比重差選別機に関する。
【０００２】
【従来の技術】
建設物の解体や建設時に発生する建設廃棄物は、土砂、コンクリート、木材、紙、プラスチック、金属等の雑多な材料を含んでいるため、資源の再利用や減容化を目的として、選別処理設備により、金属や土砂等のリサイクル可能なもの、木材や紙のような可燃物、その他の不燃物に選別されている。このとき、選別したものを再利用するには、不純物をできるだけ混入させないことが必要である。このため、廃棄物の選別過程で生じる細かい可燃物と不燃物の混合不純物は、従来は管理型埋立て処分の対象とされていたが、最近では、法整備により最終処分に対する規制が厳しくなったこともあり、選別処理設備に設けた精選工程で混合不純物からもリサイクル可能なものを選別することが行われつつある。
【０００３】
上述した選別処理設備の精選工程では、混合不純物を精度よく選別するために、各種の廃棄物をその比重差を利用して選別する比重差選別機が使用されることが多い。この比重差選別機は、上下方向に傾斜した網状振動体を振動させるとともに、振動体にその下方から空気を吹き上げて、振動体上面に供給された廃棄物のうちの重量物を振動体上端方向へ、軽量物を振動体下端方向へそれぞれ送ることにより、廃棄物を不燃性の重量物と可燃性の軽量物、および振動体を通過した不燃性の細粒物に分離するようになっている（例えば、特許文献１参照。）。
【０００４】
【特許文献１】
特開平１０−３１４６７５号公報
【０００５】
【発明が解決しようとする課題】
上述した比重差選別機は、処理対象となる廃棄物の混合不純物が振動体上面に供給された後、振動と送風によって選別を行うものであるため、廃棄物の組成や供給量によって選別精度が比較的大きく変化する傾向がある。特に、廃棄物組成の変動や供給量の増加によって可燃性軽量物が多くなったときは、振動体の下方から吹き上がってくる空気の流れによってこれらの軽量物を振動体下端方向へ送ることが難しくなり、選別精度の低下が著しい。このような場合、一定の選別精度を確保するには廃棄物の供給量を減らさざるをえず、処理能力の低下が問題となる。
【０００６】
そこで、この発明の課題は、廃棄物の組成や供給量によらず、常に良好な選別精度が得られる比重差選別機を提供することである。
【０００７】
【課題を解決するための手段】
上記の課題を解決するため、この発明は、上下方向に傾斜した網状振動体を振動させるとともに、振動体にその下方から空気を吹き上げることにより、振動体上方の廃棄物投入部から振動体上面に供給された廃棄物のうちの重量物を振動体上端方向へ、軽量物を振動体下端方向へそれぞれ送るようにした比重差選別機において、前記廃棄物投入部の下端付近に、前記網状振動体の下端側へ向けて空気を吹き出すエアノズルを設けたのである。
【０００８】
すなわち、廃棄物投入部の下端付近にエアノズルを設け、投入部から供給された廃棄物にエアノズルで空気を吹き付けて、そのうちの軽量物を強制的に振動体下端方向へ送ることにより、廃棄物の組成や供給量によらず、常に精度よく選別を行えるようにしたのである。
【０００９】
前記廃棄物投入部から供給された廃棄物が前記網状振動体の上面に達する前に、そのうちの軽量物を前記エアノズルから吹き出す空気により振動体下端方向へ送る粗選別を行うようにすることにより、選別精度をさらに向上させることができる。
【００１０】
【発明の実施の形態】
以下、図面に基づき、この発明の実施形態を説明する。この比重差選別機は、図１に示すように、ケーシング１内に網状振動体２を上下方向に傾斜させて設け、この振動体２の下方に振動体２よりも目の細かい簀の子３を振動体２と逆に傾斜させて設けて、振動体２を振動させるとともに、簀の子３の下方に設けたファン装置（図示省略）から簀の子３を通して振動体２に空気を吹き上げることにより、振動体２上面に供給された廃棄物のうちの重量物を振動体２上端方向へ、軽量物を振動体２下端方向へそれぞれ送るようにしたものである。また、振動体２が網状であるため、重量物のうちの細粒物を篩い分けることもできる。
【００１１】
前記ケーシング１は、上部に廃棄物投入口４と集塵ダクト５とを有し、一側部には網状振動体２の上端部に臨む重量物排出口６と、簀の子３の下端部に臨む細粒物排出口７が、他側部には振動体２下端部に臨む軽量物排出口８がそれぞれ形成されている。
【００１２】
ケーシング１の廃棄物投入口４の下方の廃棄物投入部９内には、投入口４から落下する廃棄物を案内するシュート１０および仕切壁１１が設けられ、廃棄物投入部９の下端付近には、網状振動体２の下端側へ向けて空気を吹き出すエアノズル１２が設けられており、投入部９内を落下してきた廃棄物にエアノズル１２の空気を吹き付けて、軽量物を強制的に振動体２下端側へ送るようになっている。
【００１３】
前記シュート１０は、基端部を廃棄物投入口４の周縁部に回動可能に取り付けられており、その回動角度を調節することにより、廃棄物をエアノズル１２で空気を吹き付けるのに適当な位置へ案内することができる。なお、シュート１０の下端部には、投入された廃棄物から磁性物を取り除くためのマグネット１３が取り付けられている。
【００１４】
また、ケーシング１の重量物排出口６近傍には、エアノズル１２の下方を覆う遮蔽板１４が取り付けられており、重量物が振動体２の振動によってエアノズル１２に衝突することを防止している。
【００１５】
前記網状振動体２は、図示省略した起振機を駆動することにより振動するようになっており、振動によって重量物を上端側へ送りやすいように側面鋸歯状に形成されている。なお、振動体２の傾斜角度は、供給される廃棄物の種類等に応じて適宜設定される。
【００１６】
次に、この比重差選別機での廃棄物（細かい可燃物と不燃物の混合不純物）の流れを説明する。ケーシング１上部の廃棄物投入口４から投入された廃棄物は、まず、廃棄物投入部９内でシュート１０下端部のマグネット１３により磁性物を取り除かれ、シュート１０および仕切壁１１に案内されてエアノズル１２の空気吹出し口の近傍に落下してくる。そして、図２にも示すように、網状振動体２の上面に達する前に、エアノズル１２から振動体２下端側へ向けて吹き出す空気を吹き付けられて、そのうちの可燃性の軽量物の多くが振動体２下端方向へ送られ、軽量物の残りの一部と不燃性の重量物が振動体２上面に落下する。
【００１７】
網状振動体２の上面に落下した廃棄物のうちの重量物は、振動体２から振動力を受けて振動体２上端方向へ徐々に移動していき、重量物排出口６から排出される。また、重量物のうちで特に細かい細粒物は、振動体２の網目を通過して落下し、簀の子３の上面に沿って簀の子３下端側へ移動して細粒物排出口７から排出される。
【００１８】
一方、振動体２上面に落下した軽量物は、簀の子３を通して振動体２に吹き上げられる空気によって浮上させられる。そして、振動体２上面に達する前に分離された軽量物とともに、エアノズル１２から吹き出す空気に乗って振動体２下端方向へ移動し、軽量物排出口８から排出される。なお、軽量物のうちでも比重の最も軽い紙類の小片やダスト等は、集塵ダクト５に吸引されて排出される。
【００１９】
この比重差選別機は、上述のように、廃棄物が網状振動体２の上面に供給された時点で軽量物の多くが分離されて粗選別が完了し、このとき分離された軽量物と一旦振動体２上面に落下してから浮上した軽量物とがエアノズル１２から吹き出す空気によりスムーズに振動体２下端方向へ送られるようになっているので、廃棄物の組成や供給量によらず常に精度よく選別を行うことができ、特に軽量物が多いときの選別精度の向上代が大きい。
【００２０】
従って、従来のエアノズルのない選別機では一定の選別精度を得るために廃棄物の供給量を制限する必要があるのに対して、この選別機では選別精度を低下させずに供給量を増やしていくことができ、処理能力の向上が図れる。この選別機の処理能力を調査するために、ほぼ一定の組成の廃棄物を従来の選別機と同程度の精度で選別する実験を行った結果、処理能力は従来の約２倍で、能力の向上率は軽量物の割合が多いときほど大きいことが確認された。
【００２１】
【発明の効果】
上述したように、この比重差選別機は、網状振動体の上方の廃棄物投入部の下端付近にエアノズルを設け、投入部から供給された廃棄物にエアノズルで空気を吹き付けて軽量物を強制的に振動体下端方向へ送るようにしたものであるから、廃棄物の組成や供給量によらず、常に精度よく選別を行うことができ、従来よりも高い処理能力が得られる。
【００２２】
前記廃棄物投入部から供給された廃棄物が振動体上面に達する前に、廃棄物にエアノズルで空気を吹き付けて軽量物を分離する粗選別を行うようにすることにより、選別精度をさらに向上させることができる。
【００２３】
従って、選別処理設備全体としても、この比重差選別機の採用により、能力向上およびコストダウンを図ることができ、法規制の強化に伴う廃棄物処理需要の増大に容易に対応できるようになる。
【図面の簡単な説明】
【図１】実施形態の比重差選別機の縦断正面図
【図２】図１の比重差選別機の要部拡大図
【符号の説明】
１　ケーシング
２　網状振動体
３　簀の子
４　投入口
５　集塵ダクト
６、７、８　排出口
９　廃棄物投入部
１０　シュート
１１　仕切壁
１２　エアノズル
１３　マグネット
１４　遮蔽板
【図１】
2004136225.tif 000003
【図２】
2004136225.tif 000004